(57)【要約】      （修正有）【課題】小型でありながら、長いバックフォーカスを有し、良好な像を結像できる結像光学系を備えた撮像装置を提供する。【解決手段】撮像装置は、軸上光束を決める明るさ絞りＳと、１つの接合レンズと、からなる結像光学系と、結像光学系の像側に配置され、結像光学系に向けて凹状に湾曲した非平面の受光面を有する撮像部と、を有し、接合レンズは、物体側から順に、負の屈折力を有する第１レンズＬ１と、第２レンズＬ２と、正の屈折力を有する第３レンズＬ３と、からなる。【選択図】図１
2018138983.tif 000002
【特許請求の範囲】
【請求項１】
軸上光束を決める明るさ絞りと、１つの接合レンズと、からなる結像光学系と、
前記結像光学系の像側に配置され、前記結像光学系に向けて凹状に湾曲した非平面の受光面を有する撮像部と、を有し、
前記接合レンズは、物体側から順に、負の屈折力を有する第１レンズと、第２レンズと、正の屈折力を有する第３レンズと、からなることを特徴とする撮像装置。
【請求項２】
以下の条件式（１）を満足することを特徴とする請求項１に記載の撮像装置。
０．４＜｜Θｏｕｔ６０／６０°｜＜１．０      （１）
ここで、
Θｏｕｔ６０は、前記第３レンズの像側面から射出した所定の主光線と光軸とのなす角度、
前記所定の主光線は、前記第１レンズの物体側の空間において、前記光軸とのなす角度が６０°となる主光線、
である。
【請求項３】
以下の条件式（２）、（３）を満足することを特徴とする請求項１又は２に記載の撮像装置。
０．７＜｜ＰＳ×Ｒｉｍｇ｜＜１．５      （２）
０．７＜｜ＥＸＰ／Ｒｉｍｇ｜＜１．５      （３）
ここで、
ＰＳは、前記結像光学系のペッツバール和であり、
前記ペッツバール和ＰＳは、以下の式で表される。
【数１】
2018138983.tif 000004
ここで、
ｉは、前記結像光学系中の各レンズの物体側からの順番、
ｋは、前記結像光学系中のレンズの総数、
ｎｉは、ｉ番目のレンズのｄ線での屈折率、
ｆｉは、ｉ番目のレンズのｄ線での焦点距離、
ＥＸＰは、前記受光面から前記結像光学系の近軸射出瞳位置までの光軸に沿った距離であり、前記近軸射出瞳位置が前記受光面よりも物体側にある場合の符号を負とし、
Ｒｉｍｇは、前記光軸と前記受光面とが交わる点を面頂点とし、前記面頂点と、前記結像光学系に最大画角で入射する主光線と前記受光面とが交わる点と、を含む仮想球面の曲率半径、
である。
【請求項４】
前記明るさ絞りは、前記第２レンズの物体側のレンズ面に配置されているか、又は、前記第２レンズの像側のレンズ面に配置されていることを特徴とする請求項１から３のいずれか一項に記載の撮像装置。
【請求項５】
前記接合レンズにおける前記第１レンズと前記第２レンズとの接合面、前記第２レンズと前記第３レンズとの接合面、前記第３レンズの像側面のうち、少なくとも１つのレンズ面は非球面であることを特徴とする請求項１から４のいずれか一項に記載の撮像装置。
【請求項６】
前記第１レンズの像側のレンズ面は、物体側に凸の面であり、
以下の条件式（４）、（５）を満足することを特徴とする請求項１から５のいずれか一項に記載の撮像装置。
０≦｜Ｒ１Ｒ／Ｒ１Ｌ｜＜０．２      （４）
０．２５＜Ｒ１Ｒ／ｆ＜０．５      （５）
ここで、
Ｒ１Ｒは、前記第１レンズの像側のレンズ面の近軸曲率半径、
Ｒ１Ｌは、前記第１レンズの物体側のレンズ面の近軸曲率半径、
ｆは、前記結像光学系のｄ線での焦点距離、
である。
【請求項７】
以下の条件式（６）を満足することを特徴とする請求項１から６のいずれか一項に記載の撮像装置。
０≦｜ＳＡＧｓ１／ＴＬ｜＜０．０５      （６）
ここで、
ＳＡＧｓ１は、前記第１レンズの物体側のレンズ面の面頂点から、前記結像光学系における最大像高に入射する最周辺の有効光線が前記第１レンズの物体側のレンズ面を通過する点までの光軸に沿う方向での距離であり、光線が進む方向を符号が正となる方向とし、
ＴＬは、前記第１レンズの物体側のレンズ面から前記受光面までの前記光軸上の距離、
である。
【請求項８】
前記第２レンズは、物体側に凸を向けたメニスカスレンズであり、
以下の条件式（７）を満足することを特徴とする請求項１から７のいずれか一項に記載の撮像装置。
０．０２＜ＴＨＩ２／ＴＬ＜０．２      （７）
ここで、
ＴＨＩ２は、光軸上での前記第２レンズの面間隔、
ＴＬは、前記第１レンズの物体側のレンズ面から前記受光面までの前記光軸上の距離、
である。
【請求項９】
前記第３レンズは、両凸レンズであり、
以下の条件式（８）を満足することを特徴とする請求項１から８のいずれか一項に記載の撮像装置。
−１＜（Ｒ３Ｌ＋Ｒ３Ｒ）／（Ｒ３Ｌ−Ｒ３Ｒ）＜０      （８）
ここで、
Ｒ３Ｌは、前記第３レンズの物体側のレンズ面の近軸曲率半径、
Ｒ３Ｒは、前記第３レンズの像側のレンズ面の近軸曲率半径、
である。
【請求項１０】
以下の条件式（９）を満足することを特徴とする請求項１から９のいずれか一項に記載の撮像装置。
０．７＜｜Θｏｕｔ６０／Θｉｍｇ６０｜＜１．５      （９）
ここで、
Θｏｕｔ６０は、前記第３レンズの像側面から射出した所定の主光線と光軸とのなす角度、
Θｉｍｇ６０は、所定の２点を結ぶ直線と前記光軸とのなす角度、
前記所定の主光線は、前記第１レンズの物体側の空間において、前記光軸とのなす角度が６０°となる主光線、
前記所定の２点は、前記第３レンズの像側面から射出した所定の主光線と前記受光面との交点と、前記受光面の曲率中心、
である。
【請求項１１】
前記第２レンズは樹脂レンズであることを特徴とする請求項１から１０のいずれか一項に記載の撮像装置。
【発明の詳細な説明】
【技術分野】
【０００１】
本発明は、撮像装置に関するものである。
【背景技術】
【０００２】
広い画角を有し、球面収差が良好に補正され、湾曲した像を形成する光学系が、特許文献１に開示されている。
【０００３】
特許文献１には、３枚のレンズからなる光学系と、４枚のレンズからなる光学系が開示されている。３枚のレンズからなる光学系は、正レンズと、正レンズと、負レンズと、を有する。４枚のレンズからなる光学系は、負レンズと、正レンズと、正レンズと、負レンズと、を有する。
【先行技術文献】
【特許文献】
【０００４】
【特許文献１】特開２０１３−２１０５４９号公報
【発明の概要】
【発明が解決しようとする課題】
【０００５】
例えば、撮像装置内に光学フィルタを配置できるようにすると、撮像装置の用途を広げることができる。この場合、光学フィルタは、光学系よりも物体側に配置されるか、光学系内に配置されるか、又は、光学系と撮像素子との間に配置されることになる。
【０００６】
特許文献１の光学系では、十分な長さのバックフォーカスが確保されているとはいえない。そのため、光学系と撮像素子との間に光学フィルタを配置することは難しい。このように、特許文献１の光学系だと、撮像装置の用途が限られてしまう。
【０００７】
本発明は、このような課題に鑑みてなされたものであって、小型でありながら、長いバックフォーカスを有し、良好な像を結像できる結像光学系を備えた撮像装置を提供することを目的とする。
【課題を解決するための手段】
【０００８】
上述した課題を解決し、目的を達成するために、本発明の少なくとも幾つかの実施形態に係る撮像装置は、
軸上光束を決める明るさ絞りと、１つの接合レンズと、からなる結像光学系と、
結像光学系の像側に配置され、結像光学系に向けて凹状に湾曲した非平面の受光面を有する撮像部と、を有し、
接合レンズは、物体側から順に、負の屈折力を有する第１レンズと、第２レンズと、正の屈折力を有する第３レンズと、からなることを特徴とする。
【発明の効果】
【０００９】
本発明によれば、小型でありながら、長いバックフォーカスを有し、良好な像を結像できる結像光学系を備えた撮像装置を提供することができる。
【図面の簡単な説明】
【００１０】
【図１】実施例１に係る結像光学系の断面図と収差図である。
【図２】実施例２に係る結像光学系の断面図と収差図である。
【図３】実施例３に係る結像光学系の断面図と収差図である。
【図４】実施例４に係る結像光学系の断面図と収差図である。
【図５】実施例５に係る結像光学系の断面図と収差図である。
【図６】実施例６に係る結像光学系の断面図と収差図である。
【図７】実施例７に係る結像光学系の断面図と収差図である。
【図８】実施例８に係る結像光学系の断面図である。
【図９】カプセル内視鏡の概略構成を示す図である。
【図１０】車載カメラを示す図である。
【図１１】内視鏡システムの概略構成を示す図である。
【図１２】内視鏡の光学系の構成を示す図である。
【図１３】立体内視鏡の光学系の構成を示す図である。
【発明を実施するための形態】
【００１１】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１２】
本実施形態の撮像装置は、軸上光束を決める明るさ絞りと、１つの接合レンズと、からなる結像光学系と、結像光学系の像側に配置され、結像光学系に向けて凹状に湾曲した非平面の受光面を有する撮像部と、を有し、接合レンズは、物体側から順に、負の屈折力を有する第１レンズと、第２レンズと、正の屈折力を有する第３レンズと、からなることを特徴とする。
【００１３】
本実施形態の撮像装置は、小型でありながら、長いバックフォーカスを有し、良好な像が結像できる結像光学系を備えている。良好な像とは、中心部から周辺部まで収差が良好に補正された光学像のことである。
【００１４】
本実施形態の撮像装置では、結像光学系は、明るさ絞りと、１つの接合レンズと、からなる。明るさ絞りは、軸上光束を決める絞りである。
【００１５】
結像光学系の像側には、撮像部が配置されている。撮像部は、結像光学系に向けて凹状に湾曲した非平面の受光面を有する。従って、受光面に形成される像も、物体側に凹状に湾曲している。
【００１６】
全体的に又は部分的に物体側に凹状に湾曲した像（以下、「湾曲像」という）を形成する光学系では、像面湾曲の発生をある程度許容できる。よって、湾曲像を形成する光学系では、平坦な像を形成する光学系に比べて、収差補正の負担が軽減される。
【００１７】
例えば、湾曲像を形成する光学系では、ペッツバール和を補正するためのレンズを削減できる。そのため、光学系を小型化できる。
【００１８】
また、平坦な像を形成する光学系では、像面湾曲を良好に補正するために、明るさ絞りから離れた位置に補正用のレンズを配置する必要がある。但し、補正用のレンズを配置すると、光学系の外径が大きくなり、さらにレンズの数が増える。このように、補正用のレンズは、光学系の外径を大きくする要因の一つである。
【００１９】
これに対して、湾曲像を形成する光学系では、補正用のレンズを配置する必要が無くなる。よって、湾曲像を形成する光学系では、光学系の外径を小さくすることができる。
【００２０】
また、周辺光量比、すなわち、中心領域の光量に対する周辺領域の光量の比については、比率の低下が抑制される。また、ディストーションについては、更なる発生が抑制される。
【００２１】
更には、湾曲した撮像面をもつ撮像素子で光学系の像を受光する場合には、撮像面へ入射する光線をほぼ垂直にするためにテレセントリックな光学系としなくてもよい。よって、湾曲像を形成する光学系では、小型化と光学性能の両立のための設計の自由度が広がる。
【００２２】
本実施形態の撮像装置における結像光学系も、湾曲像を形成する光学系である。よって、レンズの数を減らし、光学系を小型化することができる。更に、設計の自由度が広がるため、広い画角、例えば、９０度以上の画角を確保しつつ、高い結像性能を有する光学系を実現することができる。
【００２３】
本実施形態の撮像装置では、結像光学系は、物体側から像側に順に、負の屈折力を有する第１レンズと、第２レンズと、正の屈折力を有する第３レンズと、からなり、これらが１つの接合レンズを構成している。このようにすることで、小型でありながら、長いバックフォーカスと良好な結像性能を確保することができる。
【００２４】
第１レンズは負の屈折力を有する。このようにすることで、例えば、画角が９０度以上であっても、撮像範囲の中心部から周辺部まで良好な結像性能を確保することができる。
【００２５】
また、第３レンズが正の屈折力を有しているので、第１レンズと第３レンズとで、結像光学系を、レトロフォーカスタイプの光学系にすることができる。そのため、十分な長さのバックフォーカスを確保することができる。この場合、光学系と撮像部との間に、光学フィルタやカバーガラス等を配置することができる。
【００２６】
撮像装置の用途としては、例えば、内視鏡がある。内視鏡では、病変部にレーザ光を照射して、病変部の焼灼を行うことがある。レーザ光の照射は、病変部のカラー画像を観察しながら行われる。
【００２７】
病変部のカラー画像の取得では、白色光による照明が行われる。よって、病変部には、白色光とレーザ光が照射される。病変部からは、白色光とレーザ光とが反射する。白色光とレーザ光は、共に結像光学系に入射する。
【００２８】
レーザ光の光強度は、白色照明の光強度に比べて、非常に大きい。そのため、カラー画像を取得するためには、結像光学系内でレーザ光を除去する必要がある。レーザ光の除去が十分でないと、カラー画像の画質が劣化する。
【００２９】
本実施形態の撮像装置では、上述のように、結像光学系は、十分な長さのバックフォーカスを有する。そのため、結像光学系と撮像部との間に、レーザ光を除去する光学フィルタを配置することができる。その結果、画像の画質劣化を抑制することができる。
【００３０】
また、撮像部の受光面にゴミが付着すると、画像の画質が劣化する。ゴミの付着は、受光面にカバーガラスを設けることで防止することができる。上述のように、結像光学系は、十分な長さのバックフォーカスを有する。そのため、結像光学系と撮像部との間に、カバーガラスを配置することができる。その結果、ゴミの付着による画像の画質劣化を防止することができる。
【００３１】
本実施形態の撮像装置は、以下の条件式（１）を満足することが好ましい。
０．４＜｜Θｏｕｔ６０／６０°｜＜１．０      （１）
ここで、
Θｏｕｔ６０は、第３レンズの像側面から射出した所定の主光線と光軸とのなす角度、
所定の主光線は、第１レンズの物体側の空間において、光軸とのなす角度が６０°となる主光線、
である。
【００３２】
条件式（１）を満足するように結像光学系を構成することで、画角が広くなった場合でも、軸外光束に対して、見かけ上の絞り径が狭くならないようにすることができる。又は、撮像範囲の周辺部から入射する光束に対して、開口径が狭くならないように結像光学系を構成することができる。これは、ＣＯＳΘの１乗分による影響が低減されることを意味している。そのため、撮像範囲の周辺部での光量低下を抑制することができる。
【００３３】
条件式（１）を満足しない場合、画角が広くなるほど、軸外光束に対して、見かけ上の絞り径が狭くなる。そのため、撮像範囲の周辺部での光量低下が大きくなる。
【００３４】
条件式（１）に代えて、以下の条件式（１’）を満足することが好ましい。
０．５＜｜Θｏｕｔ６０／６０°｜＜０．８      （１’）
【００３５】
本実施形態の撮像装置は、以下の条件式（２）、（３）を満足することが好ましい。
０．７＜｜ＰＳ×Ｒｉｍｇ｜＜１．５      （２）
０．７＜｜ＥＸＰ／Ｒｉｍｇ｜＜１．５      （３）
ここで、
ＰＳは、結像光学系のペッツバール和であり、
ペッツバール和ＰＳは、以下の式で表される。
【数１】
2018138983.tif 000003
ここで、
ｉは、結像光学系中の各レンズの物体側からの順番、
ｋは、結像光学系中のレンズの総数、
ｎｉは、ｉ番目のレンズのｄ線での屈折率、
ｆｉは、ｉ番目のレンズのｄ線での焦点距離、
ＥＸＰは、受光面から結像光学系の近軸射出瞳位置までの光軸に沿った距離であり、近軸射出瞳位置が受光面よりも物体側にある場合の符号を負とし、
Ｒｉｍｇは、光軸と受光面とが交わる点を面頂点とし、面頂点と、結像光学系に最大画角で入射する主光線と受光面とが交わる点と、を含む仮想球面の曲率半径、
である。
【００３６】
条件式（２）を満足するように結像光学系を構成することで、結像光学系で発生する像面湾曲を、受光面の湾曲によってキャンセルすることができる。そのため、像面湾曲が像の劣化に及ぼす影響を抑制することができる。
【００３７】
その結果、１つの接合レンズであっても、収差が十分に補正された結像光学系を実現できる。また、小型でありながら、高画質の画像が取得できる撮像装置を実現することができる。
【００３８】
条件式（２）を満足しない場合、結像光学系で発生する像面湾曲を、受光面の湾曲によってキャンセルすることができなくなる。そのため、像面湾曲が像の劣化に及ぼす影響が大きくなる。
【００３９】
この場合、１つの接合レンズで、良好な像を結像することが困難になる。よって、取得した画像で画質劣化が発生する。
【００４０】
条件式（３）を満足するように受光面を構成することで、各像高に対応する主光線が受光面に対して略垂直に入射するようになる。これは、ＣＯＳΘの１乗分による影響が低減されることを意味している。そのため、撮像範囲の周辺部での光量低下を、抑制することができる。
【００４１】
条件式を満足しない場合、受光面に対して光線が斜めに入射する。そのため、撮像範囲の周辺部での光量低下が発生する。
【００４２】
条件式（２）に代えて、以下の条件式（２’）又は（２”）を満足することが好ましい。
０．８＜｜ＰＳ×Ｒｉｍｇ｜＜１．３      （２’）
０．８５＜｜ＰＳ×Ｒｉｍｇ｜≦１．０      （２”）
【００４３】
条件式（３）に代えて、以下の条件式（３’）を満足することが好ましい。
０．８＜｜ＥＸＰ／Ｒｉｍｇ｜＜１．３      （３’）
【００４４】
本実施形態の撮像装置では、明るさ絞りは、第２レンズの物体側のレンズ面に配置されているか、又は、第２レンズの像側のレンズ面に配置されていることが好ましい。
【００４５】
第２レンズは、結像光学系の略中央に位置している。よって、上述のようにすることで、明るさ絞りが結像光学系の中央付近に位置する状態になる。
【００４６】
この状態で、例えば、物体側に凸のレンズ面を、明るさ絞りの物体側に設けると共に、像側に凸のレンズ面を、明るさ絞りの像側に設ける。このようにすると、レンズ面の配置に関して、対称性を高めることができる。その結果、軸外収差の発生、例えば、倍率の色収差の発生を抑制することができる。
【００４７】
明るさ絞りは、光を透過する開口部と、光を遮光する遮光部と、を有する。多くの場合、開口部と遮光部は、光軸と直交する面内に位置する。しかしながら、本実施形態の撮像装置では、第２レンズは、第１レンズや第３レンズと接合されている。そのため、開口部と遮光部は、接合面に沿って位置することになる。
【００４８】
本実施形態の撮像装置では、明るさ絞りは、例えば、第２レンズのレンズ面の面頂から周辺に向かって、開口部と遮光部が形成されている。このとき、開口部の中心は、レンズ面の面頂と一致している。第２レンズを第１レンズや第３レンズと接合することで、明るさ絞りが接合面上に形成される。
【００４９】
本実施形態の撮像装置では、接合レンズにおける第１レンズと第２レンズとの接合面、第２レンズと第３レンズとの接合面、第３レンズの像側面のうち、少なくとも１つのレンズ面は非球面であることが好ましい。
【００５０】
このようにすることで、球面収差、コマ収差、非点収差などの発生を抑制することができる。
【００５１】
本実施形態の撮像装置では、第１レンズの像側のレンズ面は、物体側に凸の面であり、  以下の条件式（４）、（５）を満足することが好ましい。
０≦｜Ｒ１Ｒ／Ｒ１Ｌ｜＜０．２      （４）
０．２５＜Ｒ１Ｒ／ｆ＜０．５      （５）
ここで、
Ｒ１Ｒは、第１レンズの像側のレンズ面の近軸曲率半径、
Ｒ１Ｌは、第１レンズの物体側のレンズ面の近軸曲率半径、
ｆは、結像光学系のｄ線での焦点距離、
である。
【００５２】
第１レンズの像側のレンズ面を物体側に凸の面にすることで、例えば、画角が９０度以上であっても、撮像範囲の中心部から周辺部まで良好な結像性能を確保することができる。
【００５３】
条件式（４）を満足しない場合、第１レンズの像側面の曲率が小さくなるか、又は、第１レンズの物体側面の曲率が大きくなる。
【００５４】
また、条件式（５）を満足しない場合、上限値を上回ると、第１レンズの像側面の曲率が緩くなる。この場合、第１レンズの負の屈折力が小さくなり過ぎるため、画角９０度以上において、良好な結像が困難となる。下限値を下回ると、第１レンズの像側面の曲率がきつくなり過ぎるため、球面収差やコマ収差が悪化する。
【００５５】
本実施形態の撮像装置は、以下の条件式（６）を満足することが好ましい。
０≦｜ＳＡＧｓ１／ＴＬ｜＜０．０５      （６）
ここで、
ＳＡＧｓ１は、第１レンズの物体側のレンズ面の面頂点から、結像光学系における最大像高に入射する最周辺の有効光線が第１レンズの物体側のレンズ面を通過する点までの光軸に沿う方向での距離であり、光線が進む方向を符号が正となる方向とし、
ＴＬは、第１レンズの物体側のレンズ面から受光面までの光軸上の距離、
である。
【００５６】
第１レンズの物体側のレンズ面は、外界と接している。そのため、撮像装置が使用される環境によっては、第１レンズの物体側のレンズ面に液体やゴミ等が付着する恐れがある。そのため、第１レンズの物体側のレンズ面は、他のレンズ面に比べて汚れ易い。
【００５７】
また、第１レンズの物体側のレンズ面は、撮像装置の周囲にある物体と接触する恐れがある。そのため、第１レンズの物体側のレンズ面は、他のレンズ面に比べて、大きな衝撃を受け易い。
【００５８】
そこで、本実施形態の撮像装置では、第１レンズの物体側のレンズ面を、条件式（６）を満足するような平面、又は、略平面形状にしている。このようにすることで、汚れを付きにくくすることができ、又、外部からの衝撃に強くすることができる。
【００５９】
また、画角が広くなった場合でも、見かけ上の絞り径が狭くならないようにすることができる。その結果、撮像範囲の周辺部での光量落ちを抑制することができる。
【００６０】
また、像高、又は撮像面の大きさに対して、結像光学系の有効径を小さくすることができる。そのため、光学系を小型化することができる。
【００６１】
また、例えば、画角が９０度以上であっても、撮像範囲の中心部から周辺部まで良好な結像性能を確保することができる。
【００６２】
条件式（６）を満足しない場合、撮像範囲の中心部から周辺部まで良好な結像性能を確保することが困難になる。特に、結像光学系の画角を広げる場合、９０度以上の画角で、良好な結像性能を確保することが困難になる。
【００６３】
第１レンズは枠部材で保持されている。第１レンズを保護するためには、枠部材に対する第１レンズの物体側への突出を、できるだけ小さくすれば良い。この突出が大きいと、第１レンズと撮像装置の周囲にある物体とが、接触し易くなる。
【００６４】
第１レンズと物体との接触が生じると、接触時の衝撃でレンズ面が傷付いてしまう恐れがある。また、接触時の衝撃が大きいと、レンズ面が破損してしまう恐れがある。
【００６５】
このようなことから、第１レンズと物体との接触ができるだけ発生しないようにすることが好ましい。そのためには、例えば、第１レンズのレンズ面が、枠部材から突出しないようにすれば良い。すなわち、レンズ面に対して枠部材を物体側に突出させれば良い。
【００６６】
ただし、レンズ面に対する枠部材の突出を大きくすると、例えば、設計ではレンズ面に入射していた光線が、枠部材によって遮られてしまう。また、枠部材とレンズ面との境界に窪みが形成されてしまい、この窪みに水や汚れが溜まってしまう。
【００６７】
このように、レンズ面に対する枠部材の突出が大きくなり過ぎることは、画像の画質劣化を引き起こす原因になる。
【００６８】
上述のように、ＴＬは、第１レンズの物体側のレンズ面から受光面までの光軸上の距離である。この距離の算出では、空気換算は行われていない。
【００６９】
条件式（６）に代えて、以下の条件式（６’）を満足することが好ましい。
０≦｜ＳＡＧｓ１／ＴＬ｜＜０．０２      （６’）
【００７０】
本実施形態の撮像装置では、第２レンズは、物体側に凸を向けたメニスカスレンズであり、以下の条件式（７）を満足することが好ましい。
０．０２＜ＴＨＩ２／ＴＬ＜０．２      （７）
ここで、
ＴＨＩ２は、光軸上での第２レンズの面間隔、
ＴＬは、第１レンズの物体側のレンズ面から受光面までの光軸上の距離、
である。
【００７１】
第２レンズを、物体側に凸を向けたメニスカスレンズにすることで、色収差を補正しつつ、光学系の小型化が実現できる。
【００７２】
条件式（７）の上限値を上回る場合、第２レンズの厚みが厚くなり過ぎるので、光学系が大型化してしまう。条件式（７）の下限値を下回る場合、第２レンズの厚みが薄くなり過ぎる。そのため、第２レンズの屈折作用が弱まってしまう。
【００７３】
条件式（７）に代えて、以下の条件式（７’）を満足することが好ましい。
０．０２＜ＴＨＩ２／ＴＬ＜０．１      （７’）
【００７４】
本実施形態の撮像装置では、第３レンズは両凸レンズであり、以下の条件式（８）を満足することが好ましい。
−１＜（Ｒ３Ｌ＋Ｒ３Ｒ）／（Ｒ３Ｌ−Ｒ３Ｒ）＜０      （８）
ここで、
Ｒ３Ｌは、第３レンズの物体側のレンズ面の近軸曲率半径、
Ｒ３Ｒは、第３レンズの像側のレンズ面の近軸曲率半径、
である。
【００７５】
第３レンズを両凸レンズにすることで、非点収差の発生を抑制することができる。また、物体側のレンズ面の近軸曲率半径を像側のレンズ面の近軸曲率半径よりも小さくすると共に、条件式（８）を満足することで、非点収差の発生を、更に抑制することができる。
【００７６】
条件式（８）を満足しない場合、非点収差の発生を抑制することが困難になる。
【００７７】
結像光学系の画角を広くしようとすると、結像光学系の焦点距離は短くなる。結像光学系の焦点距離を短くするためには、正レンズである第３レンズの屈折力を大きくする必要がある。ただし、第３レンズの屈折力を大きくすると、非点収差が発生し易くなる。
【００７８】
物体側のレンズ面の近軸曲率半径を像側のレンズ面の近軸曲率半径よりも小さくすると共に、条件式（８）を満足することは、第３レンズの屈折力の増大と非点収差の補正との両立に有効である。すなわち、このようにすることで、非点収差の発生を抑制しつつ、結像光学系の画角をより広くすることができる。
【００７９】
条件式（８）に代えて、以下の条件式（８’）を満足することが好ましい。
−０．５＜（Ｒ３Ｌ＋Ｒ３Ｒ）／（Ｒ３Ｌ−Ｒ３Ｒ）＜０      （８’）
【００８０】
本実施形態の撮像装置は、以下の条件式（９）を満足することが好ましい。
０．７＜｜Θｏｕｔ６０／Θｉｍｇ６０｜＜１．５      （９）
ここで、
Θｏｕｔ６０は、第３レンズの像側面から射出した所定の主光線と光軸とのなす角度、
Θｉｍｇ６０は、所定の２点を結ぶ直線と光軸とのなす角度、
所定の主光線は、第１レンズの物体側の空間において、光軸とのなす角度が６０°となる主光線、
所定の２点は、第３レンズの像側面から射出した所定の主光線と受光面との交点と、受光面の曲率中心、
である。
【００８１】
条件式（９）を満足するように結像光学系を構成することで、各像高の主光線において、メリジオナル方向の曲率とサジタル方向の曲率とを、ほぼ一致させることができる。そのため、非点収差の発生を抑制することができる。
【００８２】
条件式（９）を満足しない場合、各像高の主光線において、メリジオナル方向の曲率とサジタル方向の曲率とを、一致させることができない。そのため、非点収差の発生を抑制することが困難になる。
【００８３】
Θｉｍｇ６０は、以下の式で求めることができる。
Θｉｍｇ６０＝ａｓｉｎ（ＩＭ６０／Ｒｉｍｇ）
ここで、
ＩＭ６０は、第３レンズの像側面から射出した所定の主光線と受光面との交点から光軸までの距離、
Ｒｉｍｇは、光軸と受光面とが交わる点を面頂点とし、面頂点と、結像光学系に最大画角での入射する主光線と受光面とが交わる点と、を含む仮想球面の曲率半径、
である。
【００８４】
条件式（９）に代えて、以下の条件式（９’）又は（９”）を満足することが好ましい。
０．８＜｜Θｏｕｔ６０／Θｉｍｇ６０｜＜１．３      （９’）
０．８５＜｜Θｏｕｔ６０／Θｉｍｇ６０｜＜１．２５      （９”）
【００８５】
本実施形態の撮像装置では、第２レンズは樹脂レンズであることが好ましい。
【００８６】
第２レンズを樹脂レンズとする場合は、第２レンズを第１レンズの屈折面に密着硬化することで、面形状誤差および偏心誤差を少なくすることができる。更に、結像光学系を薄くすることができる。
【００８７】
密着硬化では、紫外線硬化型樹脂のような液状の樹脂を用いれば良い。第２レンズのレンズ材料としては、例えば、紫外線硬化型樹脂がある。この紫外線硬化型樹脂を、第１レンズの屈折面に所望量吐出する。これにより、紫外線硬化型樹脂が第１レンズの屈折面と接触した状態になる。紫外線硬化型樹脂の表面のうち、第１レンズの屈折面と接触している面が、第２レンズの一方の屈折面になる。
【００８８】
紫外線硬化型樹脂を挟んで第１レンズと対向する位置に、金型を配置する。この金型を、紫外線硬化型樹脂に押し付ける。紫外線硬化型樹脂は、金型と第１レンズとで挟まれた状態になる。この状態で、第１レンズ側から紫外線を照射する。これにより、紫外線硬化型樹脂が硬化する。
【００８９】
金型は成形面を有する。成形面は、紫外線硬化型樹脂と接触する面である。成形面の形状は、第２レンズの他方の屈折面の形状と同じである。紫外線硬化型樹脂の表面のうち、成形面と接触している面が、第２レンズの他方の屈折面になる。
【００９０】
このように、密着硬化では、第１レンズの屈折面によって第２レンズの一方の屈折面が形成され、金型の成形面によって第２レンズの他方の屈折面が形成される。
【００９１】
第２レンズの材料は、紫外線硬化型樹脂に限られない。硬化の方法も、紫外線の照射に限られない。
【００９２】
なお、上記からわかるとおり、本実施形態において、接合レンズとは、複数のレンズを接着剤で接合したものだけでなく、レンズ同士が直接接触するものも含んでいる。
【００９３】
樹脂レンズでは、厚みが厚くなるほど、温度変化による影響や湿度変化による影響をより受け易くなる。また、紫外線硬化型樹脂を用いた樹脂レンズでは、厚みが厚くなるほど、硬化しづらくなる。樹脂レンズでは、厚みが薄くなるほど、接着しづらくなる。
【００９４】
このようなことから、第２レンズを樹脂レンズにする場合は、上述の条件式（７）を満足することが好ましい。条件式（７）を満足することで、温度変化による影響や湿度変化による影響低減でき、硬化性や接着性を良くすることができる。
【００９５】
本実施形態の撮像装置では、第１レンズの物体側のレンズ面は、平面、又は物体側に凸の面であることが好ましい。
【００９６】
第１レンズの物体側のレンズ面を物体側に凸の面にすることで、物体側のレンズ面へ入射する光線とレンズ面の法線とのなす角を小さくすることができる。そのため、諸収差、例えば、非点収差、歪曲収差及びコマ収差の発生を抑えることができる。
【００９７】
本実施形態の撮像装置では、更に、照明部と、結像光学系の物体側に配置されたカバー部と、を有することが好ましい。
【００９８】
カバー部を配置することで、被写体と結像光学系との距離が近づきすぎないように構成でき、被写体を被写界深度内とすることに有利となる。照明部を有することで、夜間撮影や、空洞内撮影にも有利となる。
【００９９】
本実施形態の撮像装置では、カバー部が、結像光学系と照明部の双方の物体側を覆うドーム状のカバー部であることが好ましい。
【０１００】
このようにすることで、被写体と照明部との距離が近づき過ぎないように構成でき、撮影画像の白とびを軽減できる。
【０１０１】
本実施形態の光学装置は、上記の撮像装置と、照明部と、を有することを特徴とする。
【０１０２】
各実施形態の撮像装置は小型であるので、光学装置を小型化することができる。
【０１０３】
本実施形態の光学装置は、結像光学系及び照明部の物体側に配置されたドーム状カバー部と、を有することが好ましい。
【０１０４】
このようにすることで、光学装置をカプセル内視鏡として使用することができる。
【０１０５】
本実施形態の光学装置は、貫通孔が形成された挿入部を備え、挿入部の長さは貫通孔の直径に比べて長く、貫通孔内に、結像光学系と照明部が配置されていることが好ましい。
【０１０６】
このようにすることで、光学装置を軟性内視鏡や硬性内視鏡として使用することができる。
【０１０７】
本実施形態の光学装置では、挿入部は、並列に配置された２つの結像光学系を有し、２つの結像光学系は、所定の間隔で配置され、所定の間隔は視差が生じる間隔に設定されていることが好ましい。
【０１０８】
このようにすることで、立体視が可能な光学装置を実現することができる。
【０１０９】
以下に、本発明のある態様に係る撮像装置、カプセル内視鏡の実施例を、図面に基づいて詳細に説明する。なお、この実施例によりこの発明が限定されるものではない。
【０１１０】
断面図について説明する。図１〜７において、（ａ）はレンズ断面を示している。
【０１１１】
収差図について説明する。図１〜７において、（ｂ）は球面収差（ＳＡ）、（ｃ）は非点収差（ＡＳ）、（ｄ）は歪曲収差（ＤＴ）、（ｅ）は倍率色収差（ＣＣ）を示している。
【０１１２】
実施例１の撮像装置の結像光学系は、物体側から順に、物体側に凸面を向けた負メニスカスレンズＬ１と、物体側に凸面を向けた負メニスカスレンズＬ２と、両凸正レンズＬ３と、で構成されている。負メニスカスレンズＬ１、負メニスカスレンズＬ２及び両凸正レンズＬ３は接合されている。
【０１１３】
負メニスカスレンズＬ２の物体側面に、明るさ絞りＳが配置されている。負メニスカスレンズＬ２は、負メニスカスレンズＬ１と接合されている。よって、明るさ絞りＳは、接合面上に形成されている。より具体的には、接合面の面頂から周辺に向かって、開口部と遮光部が形成されている。受光面（撮像面）Ｉは球面で、物体側に凹状に湾曲している。
【０１１４】
非球面は、負メニスカスレンズＬ１の物体側面と、負メニスカスレンズＬ１と負メニスカスレンズＬ２の接合面と、負メニスカスレンズＬ２と両凸正レンズＬ３との接合面と、両凸正レンズＬ３の像側面との４面に設けられている。
【０１１５】
実施例２の撮像装置の結像光学系は、物体側から順に、物体側に凸面を向けた負メニスカスレンズＬ１と、物体側に凸面を向けた負メニスカスレンズＬ２と、両凸正レンズＬ３と、で構成されている。負メニスカスレンズＬ１、負メニスカスレンズＬ２及び両凸正レンズＬ３は接合されている。
【０１１６】
負メニスカスレンズＬ２の像側面に、明るさ絞りＳが配置されている。負メニスカスレンズＬ２は、負メニスカスレンズＬ１と接合されている。よって、明るさ絞りＳは、接合面上に形成されている。より具体的には、接合面の面頂から周辺に向かって、開口部と遮光部が形成されている。受光面（撮像面）Ｉは球面で、物体側に凹状に湾曲している。
【０１１７】
非球面は、負メニスカスレンズＬ１の物体側面と、負メニスカスレンズＬ１と負メニスカスレンズＬ２の接合面と、負メニスカスレンズＬ２と両凸正レンズＬ３との接合面と、両凸正レンズＬ３の像側面との４面に設けられている。
【０１１８】
実施例３の撮像装置の結像光学系は、物体側から順に、物体側に凸面を向けた負メニスカスレンズＬ１と、物体側に凸面を向けた正メニスカスレンズＬ２と、両凸正レンズＬ３と、で構成されている。負メニスカスレンズＬ１、正メニスカスレンズＬ２及び両凸正レンズＬ３は接合されている。
【０１１９】
正メニスカスレンズＬ２の物体側面に、明るさ絞りＳが配置されている。正メニスカスレンズＬ２は、負メニスカスレンズＬ１と接合されている。よって、明るさ絞りＳは、接合面上に形成されている。より具体的には、接合面の面頂から周辺に向かって、開口部と遮光部が形成されている。受光面（撮像面）Ｉは球面で、物体側に凹状に湾曲している。
【０１２０】
非球面は、負メニスカスレンズＬ１の物体側面と、負メニスカスレンズＬ１と正メニスカスレンズＬ２の接合面と、正メニスカスレンズＬ２と両凸正レンズＬ３との接合面と、両凸正レンズＬ３の像側面との４面に設けられている。
【０１２１】
実施例４の撮像装置の結像光学系は、物体側から順に、物体側に凸面を向けた負メニスカスレンズＬ１と、物体側に凸面を向けた正メニスカスレンズＬ２と、両凸正レンズＬ３と、で構成されている。負メニスカスレンズＬ１、正メニスカスレンズＬ２及び両凸正レンズＬ３は接合されている。
【０１２２】
正メニスカスレンズＬ２の像側面に、明るさ絞りＳが配置されている。正メニスカスレンズＬ２は、負メニスカスレンズＬ１と接合されている。よって、明るさ絞りＳは、接合面上に形成されている。より具体的には、接合面の面頂から周辺に向かって、開口部と遮光部が形成されている。受光面（撮像面）Ｉは球面で、物体側に凹状に湾曲している。
【０１２３】
非球面は、負メニスカスレンズＬ１の物体側面と、負メニスカスレンズＬ１と正メニスカスレンズＬ２の接合面と、正メニスカスレンズＬ２と両凸正レンズＬ３との接合面と、両凸正レンズＬ３の像側面との４面に設けられている。
【０１２４】
実施例５の撮像装置の結像光学系は、物体側から順に、物体側に凸面を向けた負メニスカスレンズＬ１と、物体側に凸面を向けた正メニスカスレンズＬ２と、両凸正レンズＬ３と、で構成されている。負メニスカスレンズＬ１、正メニスカスレンズＬ２及び両凸正レンズＬ３は接合されている。
【０１２５】
正メニスカスレンズＬ２の像側面に、明るさ絞りＳが配置されている。正メニスカスレンズＬ２は、負メニスカスレンズＬ１と接合されている。よって、明るさ絞りＳは、接合面上に形成されている。より具体的には、接合面の面頂から周辺に向かって、開口部と遮光部が形成されている。受光面（撮像面）Ｉは球面で、物体側に凹状に湾曲している。
【０１２６】
非球面は、負メニスカスレンズＬ１の物体側面と、負メニスカスレンズＬ１と正メニスカスレンズＬ２の接合面と、正メニスカスレンズＬ２と両凸正レンズＬ３との接合面と、両凸正レンズＬ３の像側面との４面に設けられている。
【０１２７】
実施例６の撮像装置の結像光学系は、物体側から順に、平凹負レンズＬ１と、物体側に凸面を向けた正メニスカスレンズＬ２と、両凸正レンズＬ３と、で構成されている。平凹負レンズＬ１、正メニスカスレンズＬ２及び両凸正レンズＬ３は接合されている。
【０１２８】
正メニスカスレンズＬ２の像側面に、明るさ絞りＳが配置されている。正メニスカスレンズＬ２は、平凹負レンズＬ１と接合されている。よって、明るさ絞りＳは、接合面上に形成されている。より具体的には、接合面の面頂から周辺に向かって、開口部と遮光部が形成されている。受光面（撮像面）Ｉは球面で、物体側に凹状に湾曲している。
【０１２９】
非球面は、平凹負レンズＬ１と正メニスカスレンズＬ２の接合面と、正メニスカスレンズＬ２と両凸正レンズＬ３との接合面と、両凸正レンズＬ３の像側面との３面に設けられている。
【０１３０】
実施例７の撮像装置の結像光学系は、物体側から順に、物体側に凸面を向けた負メニスカスレンズＬ１と、物体側に凸面を向けた正メニスカスレンズＬ２と、両凸正レンズＬ３と、で構成されている。負メニスカスレンズＬ１、正メニスカスレンズＬ２及び両凸正レンズＬ３は接合されている。
【０１３１】
正メニスカスレンズＬ２の像側面に、明るさ絞りＳが配置されている。正メニスカスレンズＬ２は、負メニスカスレンズＬ１と接合されている。よって、明るさ絞りＳは、接合面上に形成されている。より具体的には、接合面の面頂から周辺に向かって、開口部と遮光部が形成されている。受光面（撮像面）Ｉは球面で、物体側に凹状に湾曲している。
【０１３２】
非球面は、負メニスカスレンズＬ１の物体側面と、負メニスカスレンズＬ１と正メニスカスレンズＬ２の接合面と、正メニスカスレンズＬ２と両凸正レンズＬ３との接合面と、両凸正レンズＬ３の像側面との４面に設けられている。
【０１３３】
実施例８の結像光学系は、図８に示すように、物体側から順に、光学部材ＣＧと、物体側に凸面を向けた負メニスカスレンズＬ１と、物体側に凸面を向けた負メニスカスレンズＬ２と、両凸正レンズＬ３と、で構成されている。負メニスカスレンズＬ１、負メニスカスレンズＬ２、明るさ絞りＳ及び両凸正レンズＬ３で構成される光学系は、実施例１の結像光学系と同じである。
【０１３４】
図８は、光学部材ＣＧが配置できることを例示する概略図である。そのため、レンズの大きさや位置に対して、光学部材ＣＧの大きさや位置は正確に描かれているわけではない。
【０１３５】
光学部材ＣＧは板状の部材で、物体側面と像側面は共に曲面になっている。図８では、物体側面と像側面は共に球面になっているので、光学部材ＣＧの全体形状は、半球になっている。実施例８では、光学部材ＣＧの肉厚、すなわち、物体側面と像側面との間隔は一定になっている。しかしながら、光学部材ＣＧの肉厚は一定でなくても良い。
【０１３６】
また、後述のように、光学部材ＣＧは、第１レンズの物体側面から物体側に６．０ｍｍだけ離れた位置に配置されている。しかしながら、光学部材ＣＧは、この位置から前後にずらした位置に配置しても良い。また、光学部材ＣＧの曲率半径及び肉厚は一例であるので、この限りではない。
【０１３７】
光学部材ＣＧには、光を透過する材質が用いられている。よって、被写体からの光は光学部材ＣＧを通過して、負メニスカスレンズＬ１に入射する。光学部材ＣＧは、像側面の曲率中心が入射瞳の位置と略一致するように配置されている。よって、光学部材ＣＧによる新たな収差は、ほとんど発生しない。すなわち、実施例８の結像光学系の結像性能は、実施例１の結像光学系の結像性能と変わらない。
【０１３８】
光学部材ＣＧは、カバーガラスとして機能する。この場合、光学部材ＣＧは、例えば、カプセル内視鏡の外装部に設けられた観察窓に該当する。よって、実施例８の結像光学系は、カプセル内視鏡の光学系に用いることができる。実施例１〜７の結像光学系もカプセル内視鏡の光学系に用いることができる。
【０１３９】
以下に、上記各実施例の数値データを示す。面データにおいて、ｒは各レンズ面の曲率半径、ｄは各レンズ面間の間隔、ｎｄは各レンズのｄ線の屈折率、νｄは各レンズのアッベ数、＊印は非球面、絞りは明るさ絞りである。
【０１４０】
また、各種データにおいて、ｆは全系の焦点距離、ＦＮＯ．はＦナンバー、ωは半画角、ＩＨは像高である。
【０１４１】
また、実施例８は、実施例１の結像光学系の物体側に光学部材ＣＧを配置したものである。実施例８の面データにおいて、Ｃ１は光学部材ＣＧの物体側面、Ｃ２は光学部材ＣＧの像側面を示す。また、実施例８の非球面データと各種データは、実施例１の非球面データや各種データと同じであるので記載は省略する。
【０１４２】
また、非球面形状は、光軸方向をｚ、光軸に直交する方向をｙにとり、円錐係数をｋ、非球面係数をＡ４、Ａ６、Ａ８、Ａ１０、Ａ１２…としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10＋Ａ１２ｙ12＋…
また、非球面係数において、「ｅ−ｎ」（ｎは整数）は、１０のｎ乗を示している。なお、これら諸元値の記号は後述の実施例の数値データにおいても共通である。
【０１４３】
数値実施例１
単位  ｍｍ
面データ
面番号         r          d         nd        νd
物体面      ∞       10.00
1*      3.915      0.30     1.51633    64.14
2(絞り)  ∞        0.00
3*      0.341      0.08     1.63387    23.38
4*      0.264      0.38     1.59201    67.02
5*     -0.541      0.10
6        ∞        0.50     1.51633    64.14
7        ∞        0.32
像面    -1.021
非球面データ
第１面
k=0.000
A4=1.01078e-02,A6=3.57526e-01
第３面
k=0.000
A4=-1.50834e+01,A6=-8.56121e+01,A8=2.20481e+03
第４面
k=0.000
A4=-1.50424e+01,A6=1.11831e+01,A8=-1.73879e+03
第５面
k=0.000
A4=-1.09574e-01,A6=8.90158e-01,A8=-2.24239e+01,
A10=1.37860e+02
各種データ
ｆ         0.78
ＦＮＯ．   2.86
２ω     140.00
ＩＨ       0.73
【０１４４】
数値実施例２
単位  ｍｍ
面データ
面番号         r          d         nd        νd
物体面      ∞       10.00
1*      4.119      0.30     1.51633    64.14
2*      0.336      0.09     1.63387    23.38
3(絞り)  ∞        0.00
4*      0.273      0.38     1.59201    67.02
5*     -0.544      0.10
6        ∞        0.50     1.51633    64.14
7        ∞        0.32
像面    -1.010
非球面データ
第１面
k=0.000
A4=9.12915e-02,A6=7.41213e-02
第２面
k=0.000
A4=-1.28745e+01,A6=-1.27825e+02,A8=1.07474e+03
第４面
k=0.000
A4=-7.32807e+00,A6=-1.28401e+01,A8=-3.30868e+03
第５面
k=0.000
A4=-2.38483e-01,A6=7.37942e-01,A8=-1.97726e+01,
A10=9.25956e+01
各種データ
ｆ         0.79
ＦＮＯ．   2.85
２ω     140.00
ＩＨ       0.73
【０１４５】
数値実施例３
単位  ｍｍ
面データ
面番号         r          d         nd        νd
物体面      ∞       10.00
1*      5.478      0.30     1.51633    64.14
2(絞り)  ∞        0.00
3*      0.339      0.11     1.63387    23.38
4*      0.421      0.38     1.59201    67.02
5*     -0.558      0.10
6        ∞        0.50     1.51633    64.14
7        ∞        0.32
像面    -1.043
非球面データ
第１面
k=0.000
A4=-2.73993e-02,A6=3.59800e-01
第３面
k=0.000
A4=-7.34591e+00,A6=-1.35791e+02,A8=1.25398e+03
第４面
k=0.000
A4=1.12022e+01,A6=-2.39954e+02,A8=1.34059e+03
第５面
k=0.000
A4=-2.13402e-01,A6=2.46455e+00,A8=-2.31632e+01,
A10=3.21745e+01
各種データ
ｆ         0.79
ＦＮＯ．   2.90
２ω     140.00
ＩＨ       0.73
【０１４６】
数値実施例４
単位  ｍｍ
面データ
面番号         r          d         nd        νd
物体面      ∞       10.00
1*      5.245      0.30     1.51633    64.14
2*      0.339      0.12     1.63387    23.38
3(絞り)  ∞        0.00
4*      0.408      0.38     1.59201    67.02
5*     -0.559      0.10
6        ∞        0.50     1.51633    64.14
7        ∞        0.32
像面    -1.045
非球面データ
第１面
k=0.000
A4=-1.65174e-03,A6=1.05156e-01
第２面
k=0.000
A4=-7.06981e+00,A6=-3.94640e+01,A8=-2.78628e+02
第４面
k=0.000
A4=1.61345e+01,A6=-2.05251e+02,A8=3.98054e+03
第５面
k=0.000
A4=-3.01045e-01,A6=1.57960e+00,A8=-2.81214e+01,
A10=3.76612e-01
各種データ
ｆ         0.79
ＦＮＯ．   2.89
２ω     140.00
ＩＨ       0.73
【０１４７】
数値実施例５
単位  ｍｍ
面データ
面番号         r          d         nd        νd
物体面      ∞       10.00
1*      1.711      0.30     1.53367    55.82
2*      0.249      0.06     1.63387    23.38
3(絞り)  ∞        0.00
4*      0.232      0.37     1.53367    55.82
5*     -0.440      0.10
6        ∞        0.30     1.51633    64.14
7        ∞        0.40
像面    -0.903
非球面データ
第１面
k=0.000
A4=1.90268e-01,A6=2.04812e-01
第２面
k=0.000
A4=-4.45853e+01
第４面
k=0.000
A4=-2.75086e+01
第５面
k=0.000
A4=-2.20911e-01,A6=-2.49190e+00
各種データ
ｆ         0.76
ＦＮＯ．   2.89
２ω     140.00
ＩＨ       0.73
【０１４８】
数値実施例６
単位  ｍｍ
面データ
面番号         r          d         nd        νd
物体面      ∞       10.00
1        ∞        0.30     1.51633    64.14
2*      0.320      0.15     1.63387    23.38
3(絞り)  ∞        0.00
4*      0.359      0.38     1.59201    67.02
5*     -0.553      0.10
6        ∞        0.50     1.51633    64.14
7        ∞        0.32
像面    -1.264
非球面データ
第２面
k=0.000
A4=-2.39160e+00,A6=-1.64025e+02,A8=1.78226e+03
第４面
k=0.000
A4=2.44268e+01,A6=-4.18708e-01,A8=-6.12781e+03
第５面
k=0.000
A4=-2.47671e-01,A6=-2.58386e+00,A8=-1.34562e+00,
A10=-4.60865e+02
各種データ
ｆ         0.81
ＦＮＯ．   3.03
２ω     140.00
ＩＨ       0.73
【０１４９】
数値実施例７
単位  ｍｍ
面データ
面番号         r          d         nd        νd
物体面      ∞       10.00
1*      3.940      0.30     1.51633    64.14
2*      0.312      0.11     1.63387    23.38
3(絞り)  ∞        0.00
4*      0.345      0.36     1.59201    67.02
5*     -0.535      0.10
6        ∞        0.30     1.51633    64.14
7        ∞        0.40
像面    -0.963
非球面データ
第１面
k=0.000
A4=-1.59904e-01,A6=1.67922e-01
第２面
k=0.000
A4=-9.76312e+00,A6=4.40264e+01,A8=-1.53642e+03
第４面
k=0.000
A4=1.39889e+01,A6=-2.57438e+01,A8=-3.08758e+02
第５面
k=0.000
A4=-2.85173e-01,A6=1.46899e+00,A8=-3.49420e+01,
A10=-1.62304e+02
各種データ
ｆ         0.75
ＦＮＯ．   2.95
２ω     169.99
ＩＨ       0.73
【０１５０】
数値実施例８
単位  ｍｍ
面データ
面番号          r          d         nd       νd
物面        ∞         3.50
C1        8.500      0.50     1.5896     30.00
C2        8.000      6.00
1*       3.915      0.30     1.51633    64.14
2(絞り)   ∞        0.00
3*       0.341      0.08     1.63387    23.38
4*       0.264      0.38     1.59201    67.02
5*      -0.541      0.10
6         ∞        0.50     1.51633    64.14
7         ∞        0.32
像面    -1.021
【０１５１】
次に、各実施例における条件式の値を以下に掲げる。
実施例１    実施例２    実施例３
(1)|Θout60/60°|         0.64        0.70        0.61
(2)|PS×Rimg|             0.87        0.86        0.87
(3)|EXP/Rimg|             1.15        1.06        1.15
(4)|R1R/R1L|              0.09        0.08        0.06
(5)R1R/f                  0.43        0.43        0.43
(6)|SAGs1/TL|             0.001       0.003       0.001
(7)THI2/TL                0.05        0.06        0.07
(8)(R3L+R3R)/(R3L-R3R)   -0.34       -0.33       -0.14
(9)|Θout60/Θimg60|      0.91        1.00        0.90
実施例４    実施例５    実施例６
(1)|Θout60/60°|         0.70        0.73        0.66
(2)|PS×Rimg|             0.87        0.89        0.98
(3)|EXP/Rimg|             1.02        1.15        0.85
(4)|R1R/R1L|              0.06        0.15        0.00
(5)R1R/f                  0.43        0.33        0.39
(6)|SAGs1/TL|             0.003       0.009       0.000
(7)THI2/TL                0.07        0.04        0.09
(8)(R3L+R3R)/(R3L-R3R)   -0.16       -0.31       -0.21
(9)|Θout60/Θimg60|      1.03        0.91        1.22
実施例７
(1)|Θout60/60°|         0.70
(2)|PS×Rimg|             0.86
(3)|EXP/Rimg|             1.04
(4)|R1R/R1L|              0.08
(5)R1R/f                  0.42
(6)|SAGs1/TL|             0.005
(7)THI2/TL                0.07
(8)(R3L+R3R)/(R3L-R3R)   -0.22
(9)|Θout60/Θimg60|      1.00
【０１５２】
図９は、撮像装置の例である。この例では、撮像装置はカプセル内視鏡である。カプセル内視鏡１００は、カプセルカバー１０１と透明カバー１０２とを有する。カプセルカバー１０１と透明カバー１０２とによって、カプセル内視鏡１００の外装部が構成されている。
【０１５３】
カプセルカバー１０１は、略円筒形状の中央部と、略椀形状の底部と、で構成されている。透明カバー１０２は、中央部を挟んで、底部と対向する位置に配置されている。透明カバー１０２は、略椀形状の透明部材によって構成されている。カプセルカバー１０１と透明カバー１０２とは、互いに水密的に連設されている。
【０１５４】
カプセル内視鏡１００の内部には、結像光学系１０３と、照明部１０４と、撮像素子１０５と、駆動制御部１０６と、信号処理部１０７と、を備えている。なお、図示しないが、カプセル内視鏡１００の内部には、受電手段と送信手段が設けられている。
【０１５５】
照明部１０４からは、照明光が出射する。照明光は透明カバー１０２を通過して、被写体に照射される。被写体からの光は、結像光学系１０３に入射する。結像光学系１０３によって、像位置に被写体の光学像が形成される。
【０１５６】
光学像は、撮像素子１０５で撮像される。撮像素子１０５の駆動と制御は、駆動制御部１０６で行われる。また、撮像素子１０５からの出力信号は、必要に応じて、信号処理部１０７で処理される。
【０１５７】
ここで、結像光学系１０３には、例えば、上述の実施例１の結像光学系が用いられている。このように、結像光学系１０３は、小型でありながら、広い画角と小さいＦナンバーを有する。よって、結像光学系１０３では、高い解像度を有する広角な光学像が得られる。
【０１５８】
また、カプセル内視鏡１００は、小型でありながら長いバックフォーカスを有し、良好な像が結像できる光学系を備えている。よって、カプセル内視鏡１００では、小型でありながら、高解像な画像が得られる。
【０１５９】
なお、ここでは撮像素子が湾曲した受光面を有しているが、撮像素子の受光面は平坦であっても、像を受ける面が湾曲していれば、その面を湾曲した受光面ということができる。このような例として、平坦な受光面を持つ撮像素子の受光面上にファイバ束を配置してその一端面を湾曲した形状に加工し、その湾曲した端面で物体像を受ける構成が考えられる。
【０１６０】
図１０は、撮像装置の別の例である。この例では、撮像装置は車載カメラである。図１０（ａ）は車外に車載カメラを搭載した例を示す図である。図１０（ｂ）は、車内に車載カメラを搭載した例を示す図である。
【０１６１】
図１０（ａ）に示すように、車載カメラ２０１は、自動車２００のフロントグリルに設けられている。車載カメラ２０１は、結像光学系と撮像素子を備えている。車載カメラ２０１の結像光学系には、例えば、上述の実施例１の結像光学系が用いられている。よって、良好な光学像が形成される。
【０１６２】
図１０（ｂ）に示すように、車載カメラ２０１は、自動車２００の天井近傍に設けられている。車載カメラ２０１の作用効果は、既に説明したとおりである。車載カメラ２０１では、小型でありながら、高解像な画像が得られる。
【０１６３】
図１１は、撮像装置の別の例である。この例では、撮像装置は内視鏡システムである。図１１は、内視鏡システムの概略構成を示す図である。
【０１６４】
内視鏡システム３００は、電子内視鏡を用いた観察システムである。内視鏡システム３００は、電子内視鏡３１０と画像処理装置３２０とから構成されている。電子内視鏡３１０は、スコープ部３１０ａと接続コード部３１０ｂとを備えている。また、画像処理装置３２０には、表示ユニット３３０が接続されている。
【０１６５】
スコープ部３１０ａは、操作部３４０と挿入部３４１に大別される。挿入部３４１は、細長で患者の体腔内へ挿入可能になっている。また、挿入部３４１は、可撓性を有する部材で構成されている。観察者は、操作部３４０に設けられているアングルノブ等により、諸操作を行うことができる。
【０１６６】
また、操作部３４０からは、接続コード部３１０ｂが延設されている。接続コード部３１０ｂは、ユニバーサルコード３５０を備えている。ユニバーサルコード３５０は、コネクタ３６０を介して画像処理装置３２０に接続されている。
【０１６７】
ユニバーサルコード３５０は、各種の信号等の送受信に用いられる。各種の信号としては、電源電圧信号及びＣＣＤ駆動信号等がある。これらの信号は、電源装置やビデオプロセッサからスコープ部３１０ａに送信される。また、各種の信号として映像信号がある。この信号は、スコープ部３１０ａからビデオプロセッサに送信される。
【０１６８】
なお、画像処理装置３２０内のビデオプロセッサには、図示しないＶＴＲデッキ、ビデオプリンタ等の周辺機器が接続可能である。ビデオプロセッサは、スコープ部３１０ａからの映像信号に対して信号処理を施す。映像信号に基づいて、表示ユニット３３０の表示画面上に内視鏡画像が表示される。
【０１６９】
挿入部３４１の先端部３４２には、光学系が配置されている。図１２は、内視鏡の光学系の構成を示す図である。光学系４００は、照明部と観察部とを有する。
【０１７０】
照明部は、ライトガイド４０１と照明レンズ４０２とを有する。ライトガイド４０１は、照明光を挿入部３４１の先端部３４２に伝送する。伝送された照明光は、ライトガイド４０１の先端面から出射する。
【０１７１】
先端部３４２には、照明レンズ４０２が配置されている。照明レンズ４０２は、ライトガイド４０１の先端面と対向する位置に配置されている。照明光は照明レンズ４０２を通過し、照明窓４０３から出射する。これにより、被検体内部の観察対象部位（以下、「観察部位４０４」という）が照明される。
【０１７２】
先端部３４２には、観察窓４０５が、照明窓４０３の隣に設けられている。観察部位４０４からの光は、観察窓４０５を通過して、先端部３４２内に入射する。観察窓４０５の後方には、観察部が設けられている。
【０１７３】
観察部は、結像光学系４０６と撮像素子４０７とを有する。結像光学系４０６に、例えば、実施例１の結像光学系が用いられている。
【０１７４】
観察部位４０４からの反射光は、結像光学系４０６を通過して撮像素子４０７に入射する。撮像素子４０７の撮像面には、観察部位４０４の像（光学像）が形成される。観察部位４０４の像は撮像素子４０７によって光電変換され、これにより観察部位４０４の画像が得られる。観察部位４０４の画像は表示ユニット３３０に表示される。このようにして、観察者は、観察部位４０４の画像を観察できる。
【０１７５】
結像光学系４０６では、像面は湾曲形状になっている。撮像素子４０７は、像面の形状と同じ湾曲形状の受光面（撮像面）を有している。撮像素子４０７を用いることで、撮影画像の画質を向上することができる。
【０１７６】
図１２に示す先端部３４２では、結像光学系の数は１つであるため、立体視はできない。２つの結像光学系を用いることで、立体視が可能になる。
【０１７７】
図１３は、立体視内視鏡の光学系の構成を示す図である。立体視内視鏡の先端部５００には、結像光学系５１０が配置されている。先端部５００には、照明光学系も配置されているが、図示を省略している。
【０１７８】
結像光学系５１０は、第１の結像光学系５１０Ｌと第２の結像光学系５１０Ｒとで構成されている。第１の結像光学系５１０Ｌと第２の結像光学系５１０Ｒは、同一の光学系である。２つの結像光学系には、例えば、実施例６の結像光学系が用いられている。
【０１７９】
第１の結像光学系５１０Ｌの像位置には、撮像素子５２０Ｌが配置されている。第２の結像光学系５１０Ｒの像位置には、撮像素子５２０Ｒが配置されている。
【０１８０】
第１の結像光学系５１０Ｌと第２の結像光学系５１０Ｒでは、像面は、共に湾曲形状になっている。撮像素子５２０Ｌと撮像素子５２０Ｒは、像面の形状と同じ湾曲形状の受光面（撮像面）を有している。撮像素子５２０Ｌと撮像素子５２０Ｒを用いることで、撮影画像の画質を向上することができる。
【０１８１】
第１の結像光学系５１０Ｌと第２の結像光学系５１０Ｒは、並列に配置されている。よって、結像光学系５１０では、視差を有する一対の光学像が形成される。一方の光学像は撮像素子５２０Ｌで撮像され、他方の光学像は撮像素子５２０Ｒで撮像される。
【０１８２】
撮像素子５２０Ｌから出力された画像信号と、撮像素子５２０Ｒから出力された画像信号は、画像処理装置に入力される。画像処理装置では、立体視用映像信号が生成される。立体視用映像信号は、立体視用表示モニタに入力される。
【０１８３】
立体視用表示モニタでは、左目用の画像と右目用の画像とが、交互に表示される。立体視用メガネで２つの画像を見ることで、立体視ができる。
【産業上の利用可能性】
【０１８４】
以上のように、本発明は、小型でありながら、長いバックフォーカスを有し、良好な像を結像できる結像光学系を備えた撮像装置に適している。
【符号の説明】
【０１８５】
Ｌ１、Ｌ２、Ｌ３  レンズ
Ｓ  明るさ絞り
Ｉ  像面
Ｃ  カバーガラス  
ＣＧ  光学部材
１００  カプセル内視鏡
１０１  カプセルカバー
１０２  透明カバー
１０３  結像光学系
１０４  照明部
１０５  撮像素子
１０６  駆動制御部
１０７  信号処理部
２００  自動車
２０１  車載カメラ
３００  内視鏡システム
３１０  電子内視鏡
３１０ａ  スコープ部
３１０ｂ  接続コード部
３２０  画像処理装置
３３０  表示ユニット
３４０  操作部
３４１  挿入部
３４２  先端部
３５０  ユニバーサルコード
３６０  コネクタ
４００  光学系
４０１  ライトガイド
４０２  照明レンズ
４０３  照明窓
４０４  観察部位
４０５  観察窓
４０６  結像光学系
４０７  撮像素子
５００  先端部
５１０  結像光学系
５１０Ｌ  第１の結像光学系
５１０Ｒ  第２の結像光学系
５２０Ｌ、５２０Ｒ  撮像素子
【図１】
2018138983.tif 000005
【図２】
2018138983.tif 000006
【図３】
2018138983.tif 000007
【図４】
2018138983.tif 000008
【図５】
2018138983.tif 000009
【図６】
2018138983.tif 000010
【図７】
2018138983.tif 000011
【図８】
2018138983.tif 000012
【図９】
2018138983.tif 000013
【図１０】
2018138983.tif 000014
【図１１】
2018138983.tif 000015
【図１２】
2018138983.tif 000016
【図１３】
2018138983.tif 000017